(57)【特許請求の範囲】
【請求項１】
感潮河川に、浄化しようとする範囲を設定し、その設定範囲の最も上流側と最も下流側とに還水手段を配設し、前記感潮河川の任意の場所に配設した取水手段より取水した感潮河川の河川水を、水質浄化装置により浄化した後、満潮時から干潮時にかけては、設定範囲の最も上流側に配置した還水手段より感潮河川に還水し、干潮時から満潮時にかけては、設定範囲の最も下流側に配置した還水手段より感潮河川に還水することを特徴とする感潮河川の水質改善方法。
【請求項２】
取水手段を、感潮河川における設定範囲内の任意の場所に配設することを特徴とする請求項１記載の感潮河川の水質改善方法。
【請求項３】
還水手段を３個以上とし、設定範囲の上流端と下流端との間に、１個または複数個の還水手段を配設し、その中間部の還水手段には、潮の干満に関係なく、常時浄化した河川水を供給することを特徴とする請求項１または２記載の感潮河川の水質改善方法。
【請求項４】
感潮河川に、浄化しようとする範囲を設定し、その設定範囲の最も上流側と最も下流側とに曝気手段を配設し、満潮時から干潮時にかけては、設定範囲の最も上流側に配置した曝気手段より感潮河川を曝気し、干潮時から満潮時にかけては、設定範囲の最も下流側に配置した曝気手段より感潮河川を曝気することを特徴とする感潮河川の水質改善方法。
【請求項５】
感潮河川の河川水を取水する取水手段と、
取水手段により取水した河川水を浄化する水質浄化装置と、
水質浄化装置により浄化した河川水を、互いに離間した感潮河川の複数箇所に還水しうる複数の還水手段と、
水質浄化装置により浄化した河川水を供給する還水手段を切り換える切換手段
とを備えることを特徴とする感潮河川の水質改善装置。
【請求項６】
切換手段を、満潮時から干潮時にかけては、感潮河川の上流側に配置する用の還水手段に、また干潮時から満潮時にかけては、感潮河川の下流側に配置する用の還水手段に、浄化した河川水を供給するように制御する制御装置を備えることを特徴とする請求項５記載の感潮河川の水質改善装置。
【請求項７】
水質浄化装置を、取水した河川水に、水質浄化剤を注入する手段を備えるものとした請求項５または６記載の感潮河川の水質改善装置。
【請求項８】
感潮河川の上流側に配設する用の上流側曝気装置と、
感潮河川の下流側に配設する用の下流側曝気装置と、
前記上流側曝気装置の作動と下流側曝気装置の作動とを選択的に切り換える切換装置
とを備えることを特徴とする感潮河川の水質改善装置。
【発明の詳細な説明】
【技術分野】
【０００１】
本発明は、感潮河川の水質改善方法および装置に関する。
【背景技術】
【０００２】
都市河川の河口付近では、生活雑排水等の流入や河床に堆積したヘドロ等の影響により、悪臭が発生したり、水質が白濁化したりしている。
【０００３】
このような河川の水質改善システムおよび方法として、潮の干満のある感潮河川の河川水を取水する取水手段と、取水した河川水を前記感潮河川に還水する還水手段とを有し、感潮河川の水質改善を行う河川の水質改善システムにおいて、取水手段は、感潮河川の溶存酸素濃度が低い底層部から取水し、還水手段は、底層部よりも下流側の水域の底層部に還水するようにしたものがある(例えば特許文献１参照)。
【０００４】
また、その関連として、取水した河川水の持つ熱を利用して、空調を行うようにしたものや(例えば特許文献２参照)、透水性のよい改質材料を泥質・水質改善筒に充填し、改質材料が充填された泥質・水質改善筒を感潮河川の河床に埋設するようにしたもの(例えば特許文献３参照)等がある。
【先行技術文献】
【特許文献】
【０００５】
【特許文献１】特開２０１０−１０４９６８号公報
【特許文献２】特開２００９−２２９０３４号公報
【特許文献３】特開２００５−２７９３２４号公報
【発明の概要】
【発明が解決しようとする課題】
【０００６】
しかし、いずれの場合にも、感潮河川においては、潮の干満があるため、還水手段より感潮河川に供給された浄化された還水や改質材料は、満潮から干潮にかけては上流から下流に向けて流され、干潮から満潮にかけては、下流から上流に向けて流され、それが毎日２回繰り返されるため、上流側と下流側とに拡散し、特定の場所での改質効果が半減する。
【０００７】
本発明は、従来の技術が有する上記のような問題点に鑑み、感潮河川に予め設定した設定範囲を、効率よく浄化しうるようにした感潮河川の水質改善方法および装置を提供することを目的としている。
【課題を解決するための手段】
【０００８】
本発明によると、上記課題は、次のようにして解決される。
(１)  感潮河川の水質改善方法において、感潮河川に、浄化しようとする範囲を設定し、その設定範囲の最も上流側と最も下流側とに還水手段を配設し、前記感潮河川の任意の場所に配設した取水手段より取水した感潮河川の河川水を、水質浄化装置により浄化した後、満潮時から干潮時にかけては、設定範囲の最も上流側に配置した還水手段より感潮河川に還水し、干潮時から満潮時にかけては、設定範囲の最も下流側に配置した還水手段より感潮河川に還水する。
【０００９】
このような方法によると、満潮時から干潮時にかけては、設定範囲の最も上流側に配置した還水手段より浄化した河川水を感潮河川に還水し、その浄化した河川水を上流側から下流側への河川水の流れに乗せて、設定範囲に行き渡らせることができ、干潮時から満潮時にかけては、設定範囲の最も下流側に配置した還水手段より浄化した河川水を感潮河川に還水し、その浄化した河川水を下流側から上流側への河川水の流れに乗せて、設定範囲に行き渡らせることができ、設定範囲を常時、すなわち１日２４時間連続して、効率よく浄化することができる。
【００１０】
(２)  上記(１)項において、取水手段を、感潮河川における設定範囲内の任意の場所に配設する。
【００１１】
このような方法によると、感潮河川における設定範囲内の貧酸素河川水を取水手段により汲み上げて、それを浄化して、別の場所から還水することができるので、設定範囲内の浄化をさらに促進することができる。
【００１２】
(３)  上記(１)または(２)項において、還水手段を３個以上とし、設定範囲の上流端と下流端との間に、１個または複数個の還水手段を配設し、その中間部の還水手段には、潮の干満に関係なく、常時浄化した河川水を供給する。
【００１３】
このような方法によると、中間部の還水手段からは、常時浄化した河川水が供給され、満潮時から干潮時にかけては、浄化した河川水を上流側から下流側への河川水の流れに乗せて、また干潮時から満潮時にかけては、浄化した河川水を下流側から上流側への河川水の流れに乗せて行き渡らせることができ、設定範囲の上流端と下流端とに設けた還水手段から環流する浄化した河川水だけではカバーしきれない範囲をカバーすることができ、もって設定範囲を長く設定することができる。すなわち、感潮河川の長い範囲に亘って、一度に浄化することができる。
【００１４】
(４)  感潮河川の水質改善方法において、感潮河川に、浄化しようとする範囲を設定し、その設定範囲の最も上流側と最も下流側とに曝気手段を配設し、満潮時から干潮時にかけては、設定範囲の最も上流側に配置した曝気手段より感潮河川を曝気し、干潮時から満潮時にかけては、設定範囲の最も下流側に配置した曝気手段より感潮河川を曝気する。
【００１５】
このような方法によると、満潮時から干潮時にかけては、設定範囲の最も上流側に配置した曝気手段により河川水を曝気し、そのときの気泡と曝気により浄化された河川水とを上流側から下流側への河川水の流れに乗せて、設定範囲に行き渡らせることができ、干潮時から満潮時にかけては、設定範囲の最も下流側に配置した曝気手段により河川水を曝気し、そのときの気泡と曝気により浄化された河川水とを下流側から上流側への河川水の流れに乗せて、設定範囲に行き渡らせることができ、設定範囲を常時、すなわち１日２４時間連続して、効率よく浄化することができる。
【００１６】
(５)  感潮河川の水質改善装置において、感潮河川の河川水を取水する取水手段と、取水手段により取水した河川水を浄化する水質浄化装置と、水質浄化装置により浄化した河川水を、互いに離間した感潮河川の複数箇所に還水しうる複数の還水手段と、水質浄化装置により浄化した河川水を供給する還水手段を切り換える切換手段とを備えるものとする。
【００１７】
このような構成とすると、感潮河川における浄化しようとする設定範囲の上流側と下流側との両端部に還水手段を配設し、かつ感潮河川の任意の場所に取水手段を配設し、取水手段より取水した感潮河川の河川水を、水質浄化装置により浄化した後、満潮時から干潮時にかけては、上流側に配置した還水手段より感潮河川に還水し、干潮時から満潮時にかけては、下流側に配置した還水手段より感潮河川に還水することによって、１日２４時間連続して、設定範囲を効率よく浄化することができる。
浄化した河川水を供給する還水手段の切り換えは、切換手段によって簡単に行うことができる。
【００１８】
(６)  上記(５)項において、切換手段を、満潮時から干潮時にかけては、感潮河川の上流側に配置する用の還水手段に、また干潮時から満潮時にかけては、感潮河川の下流側に配置する用の還水手段に、浄化した河川水を供給するように制御する制御装置を備えるものとする。
【００１９】
このような構成とすると、潮の干満に基づいて、切換手段が適時に自動的に切り換えられるので、切換作業を人手に頼る必要がない。
【００２０】
(７)  上記(５)または(６)項において、水質浄化装置を、取水した河川水に、水質浄化剤を注入する手段を備えるものとする。
【００２１】
このような構成とすると、感潮河川における貧酸素河川水を迅速に浄化することができる。
【００２２】
(８)  感潮河川の水質改善装置において、感潮河川の上流側に配設する用の上流側曝気装置と、感潮河川の下流側に配設する用の下流側曝気装置と、前記上流側曝気装置の作動と下流側曝気装置の作動とを選択的に切り換える切換装置とを備えるものとする。
【００２３】
このような構成とすると、感潮河川における浄化しようとする設定範囲の上流端に上流側曝気装置を、また同じく下流端に下流側曝気装置を配設し、切換装置の作動により、満潮時から干潮時にかけては、上流側曝気装置が作動させられ、干潮時から満潮時にかけては、下流側曝気装置が作動させられることにより、１日２４時間連続して、設定範囲を効率よく浄化することができる。
また、２個の曝気装置とその作動の切換装置のみで水質改善装置を構成することができるので、装置の構造の簡素化および低コスト化を図ることができる。
【発明の効果】
【００２４】
本発明によると、感潮河川に予め設定した設定範囲を、効率よく浄化しうるようにした感潮河川の水質改善方法および装置を提供することができる。
【図面の簡単な説明】
【００２５】
【図１】本発明の感潮河川の水質改善装置の第１の実施形態と、それを用いた本発明の感潮河川の水質改善方法の第１の実施要領とを示す模式図である。
【図２】本発明の感潮河川の水質改善装置の第２の実施形態と、それを用いた本発明の感潮河川の水質改善方法の第２の実施要領とを示す模式図である。
【図３】本発明の感潮河川の水質改善装置の第３の実施形態と、それを用いた本発明の感潮河川の水質改善方法の第３の実施要領とを示す模式図である。
【図４】本発明の感潮河川の水質改善装置の第４の実施形態と、それを用いた本発明の感潮河川の水質改善方法の第４の実施要領とを示す模式図である。
【発明を実施するための形態】
【００２６】
次に、本発明の感潮河川の水質改善装置の第１の実施形態を、図１を参照して説明する。
図１には、感潮河川１の河床２に、ヘドロ層３が堆積し、その上層には、下流側より海水層４が流入し、さらにその上層には、上流側より淡水が流下してきて、淡水層５が形成されている状態を模式的に示している。海水は淡水より比重が大きいので、海水層４は淡水層５より下方となる。
【００２７】
図１における左方が感潮河川１の上流、同じく右方が下流である。
潮の干満に伴って、海水層４と淡水層５の境界面は、満潮時には上昇し、干潮時には下降する。
また、ヘドロ層３と海水層４との間には、硫化水素やメタンガスが発生し、それらが臭気の原因となる。
【００２８】
本発明の感潮河川の水質改善装置１０は、図１に示すように、感潮河川１の河川水を取水する取水手段１１と、取水手段１１により取水した河川水を浄化する水質浄化装置１２と、水質浄化装置１２により浄化した河川水を、互いに離間した感潮河川１の複数箇所に還水しうる複数(この例では２個)の還水手段１３、１４と、水質浄化装置１２により浄化した河川水を供給する還水手段１３、１４を切り換える切換手段２０とを備えている。
【００２９】
取水手段１１は、可撓性の取水ホース１１ａと、その先端に取付けられた吸込口１１ｂとからなり、各還水手段１３、１４は、可撓性の還水ホース１３ａ、１４ａと、その先端に取付けられた吐出口１３ｂ、１４ｂとからなっている。
【００３０】
水質浄化装置１２は、気体溶解装置１５と、取水ホース１１ａの基端に接続され、吸込口１１ｂより河川水を汲み上げて、気体溶解装置１５に供給する汲み上げポンプ１６と、空気を圧縮するコンプレッサ１７と、このコンプレッサ１７により圧縮された空気を、酸素と窒素とに分離し、窒素を大気中に放出し、かつ酸素またはオゾンを水質浄化剤として気体溶解装置１５に供給する酸素発生装置１８と、気体溶解装置１５において、取水手段１１により取水した河川水に、酸素発生装置１８から供給された酸素またはオゾンを溶解させて高濃度酸素溶解水とした、浄化した河川水を取出す出口管１９とを備えている。
【００３１】
出口管１９には、切換手段２０が接続されている。
切換手段２０は、手動操作式のものとしてもよいが、この例では、制御装置２２によって自動的に制御されるようにしてある。
この制御装置２２は、メモリ(図示略)に記憶させておいた潮見表のデータと、タイマ(図示略)の現在時間とを比較し、現在時間が潮見表のデータの満潮時から干潮時の間にあるときは、感潮河川１の上流側に配置する用の還水手段１３に、また同じく干潮時から満潮時の間にあるときは、感潮河川１の下流側に配置する用の還水手段１４に、浄化した河川水を供給するように制御するのが好ましい。
潮見表のデータは、携帯電話やパソコン等の受信機から入手することができる。
【００３２】
または、図１に２点鎖線で示すように、制御装置２２に、感潮河川１の適所に設けた潮位センサ２１を接続し、この潮位センサ２１により検出された潮の干満のデータに基づいて、満潮時から干潮時にかけては、感潮河川１の上流側に配置する用の還水手段１３に、また干潮時から満潮時にかけては、感潮河川１の下流側に配置する用の還水手段１４に、浄化した河川水を供給するように制御してもよい。
【００３３】
潮位センサ２１は、感潮河川１の水位を経時的に計測し、過去の計測データとの比較等から、満潮時および干潮時を割り出すことができるようにしたものであれば、どのようなものでもよい。
【００３４】
次に、この感潮河川の水質改善装置１０を用いて、実際に感潮河川１の水質を改善する本発明の感潮河川の水質改善方法の第１の実施要領について説明する。
【００３５】
まず、感潮河川１のうち、水質を改善しようとする範囲(以下、設定範囲Ａという)を設定する。この設定範囲Ａは、水質浄化装置１２の能力、川幅、水量、汚染の状況等に基づいて定めるのがよいが、例えば、５００メートル程度とするのが好ましい。
【００３６】
次に、設定範囲Ａの上流端に、上流側用の還水手段１３を、また設定範囲Ａの下流端に、下流側用の還水手段１４を、それぞれ浸漬する。このとき、各還水手段１３、１４の吐出口１３ｂ、１４ｂが、ヘドロ層３と海水層４との境界部分の辺りに位置するように浸漬するのが好ましい。
【００３７】
取水手段１１は、設定範囲Ａ内の下流側の適所に浸漬するのが好ましいが、浸漬するのに適当な場所がない場合には、設定範囲Ａ外の感潮河川１に浸漬してもよい。
また、取水手段１１は、吸込口１１ｂが、ヘドロ層３よりわずかに上方の海水層４内に位置するように配設し、海水層４における高濃度の塩水を取水するようにするのが好ましい。
【００３８】
この状態で、気体溶解装置１５、汲み上げポンプ１６、コンプレッサ１７、および酸素発生装置１８を作動させると、取水手段１１の吸込口１１ｂから海水層４から河川水が汲み上げられて、気体溶解装置１５に供給されるとともに、コンプレッサ１７により圧縮された空気が、酸素発生装置１８において、酸素と窒素とに分離され、窒素は大気中に排出され、かつ酸素またはオゾンは圧縮された状態で、気体溶解装置１５に供給される。
【００３９】
気体溶解装置１５においては、取水手段１１により取水した河川水に、酸素発生装置１８から供給された酸素またはオゾンが溶解させられ、高濃度酸素溶解水となった、浄化された河川水が出口管１９より排出される。
【００４０】
出口管１９より排出された浄化された河川水は、切換手段２０に至り、ここで次のような態様で切り換えられて、還水手段１３、１４に選択的に供給される。
すなわち、満潮から干潮までの間は、浄化された河川水は、出口管１９から、上流側に配置された還水手段１３の還水ホース１３ａ側に流出し、干潮から満潮までの間にあるときは、浄化された河川水は、出口管１９から、下流側に配置された還水手段１４の還水ホース１４ａ側に流出するように、制御装置２２によって制御される。
【００４１】
その結果、満潮から干潮までの間は、浄化された河川水は、上流側の還水手段１３の吐出口１３ｂから、感潮河川１におけるヘドロ層３と海水層４との間に還水され、そのときの潮の流れに伴って、設定範囲Ａの上流側から下流側に向かって流れ、設定範囲Ａ内の貧酸素塩水を高濃度酸素溶解水と入れ替え、設定範囲Ａ内を浄化する。
【００４２】
また、干潮から満潮までの間は、下流側の還水手段１４の吐出口１４ｂから、感潮河川１におけるヘドロ層３と海水層４との間に還水され、そのときの潮の流れに伴って、設定範囲Ａの下流側から上流側に向かって流れ、設定範囲Ａ内の貧酸素塩水を高濃度酸素溶解水と入れ替え、設定範囲Ａ内を浄化する。
【００４３】
このように、満潮から干潮までの間は、浄化された河川水を設定範囲Ａの上流側から下流側に向かって流し、干潮から満潮までの間は、浄化された河川水を設定範囲Ａの下流側から上流側に向かって流すことによって、１日２４時間連続して、設定範囲Ａを効率よく浄化することができる。
【００４４】
次に、図２を参照して、本発明の感潮河川の水質改善装置の第２の実施形態と、それを用いた本発明の感潮河川の水質改善方法の第２の実施要領とについて説明する。なお、図１におけるのと同一の装置や部材には、同一の符号付して図示するに止め、それらについての説明は重複するので省略する。
【００４５】
図２に示すように、第２の実施形態の感潮河川の水質改善装置１０は、設定範囲Ａの上流端用の還水手段１３と、同じく下流端用の還水手段１４との他に、１個または複数個(この例では、説明を簡略化するため１個としてある)の中間部用の還水手段２３を備えている。
【００４６】
この還水手段２３は、他の還水手段１３、１４と同様に、切換手段２０に基端部が接続された可撓性の還水ホース２３ａと、その先端に取付けられた吐出口２３ｂとを備えている。
【００４７】
この第２の実施形態の感潮河川の水質改善装置１０を用いた本発明の感潮河川の水質改善方法の第２の実施要領においては、設定範囲Ａ'を、先の設定範囲Ａより長い、例えば１０００メートルとし、その設定範囲Ａ'の上流端に上流側用の還水手段１３を、また同じく下流端に下流側用の還水手段１４を配設し、さらに、その設定範囲Ａ'内の任意の場所、好ましくはその設定範囲Ａ'の中央に、中間部用の還水手段２３を、他の還水手段１３、１４と同様の態様で配設する。
【００４８】
この状態で、水質浄化装置１２を第１の実施要領と同様に作動させ、切換手段２０を次のような態様で切換制御する。
すなわち、満潮から干潮までの間は、浄化された河川水を、出口管１９から、上流端用の還水手段１３と中間部用の還水手段２３とに供給し、干潮から満潮までの間は、浄化された河川水を、出口管１９から、下流端用の還水手段１４と中間部用の還水手段２３とに供給する。
したがって、中間部用の還水手段２３には、潮の干満に関係なく、常時浄化された河川水を供給することになる。
【００４９】
すると、満潮から干潮までの間は、上流端用の還水手段１３から還水された浄化された河川水は、上流側から下流側への河川水の流れに乗って、図２に示す設定範囲Ａ'の上流端から中間部用の還水手段２３が配設された中間点Ｐまでの第１区間Ａ１を浄化し、中間部用の還水手段２３から還水された浄化された河川水は、上流側から下流側への河川水の流れに乗って、図２に示す設定範囲Ａ'の中間点Ｐから下流端までの第２区間Ａ２を浄化する。
また、干潮から満潮までは、下流端用の還水手段１４から還水された浄化された河川水は、下流側から上流側への河川水の流れに乗って、第２区間Ａ２を浄化し、中間部用の還水手段２３から還水された浄化された河川水は、下流側から上流側への河川水の流れに乗って、第１区間Ａ１を浄化する。
【００５０】
したがって、中間部用の還水手段２３の数を増すことによって、設定範囲Ａ'の上流端と下流端とに設けた還水手段１３、１４から環流する浄化した河川水だけではカバーしきれない範囲をカバーすることができ、もって設定範囲Ａ'を長く設定することができる。すなわち、感潮河川の長い範囲に亘って、一度に浄化することができる。
【００５１】
図３は、本発明の感潮河川の水質改善装置の第３の実施形態と、それを用いた本発明の感潮河川の水質浄化方法の第３の実施要領とを示す。
第１および第２の実施形態は、取水手段１１により取水した河川水を、水質浄化装置１２において曝気することにより浄化し、それを還水手段１３、１４、２３より選択的に環流させるようにしているが、図３に示す本発明の第３の実施形態においては、感潮河川１に、浄化しようとする範囲を設定し、その設定範囲Ａの最も上流側と最も下流側とに曝気装置(曝気手段)３１、３２を配設し、満潮時から干潮時にかけては、設定範囲Ａの最も上流側に配設した曝気装置３１により感潮河川１を曝気し、干潮時から満潮時にかけては、設定範囲Ａの最も下流側に配設した曝気装置３２により感潮河川１を曝気するようにしている。
【００５２】
感潮河川１の上流側に配設する用の曝気装置３１と、同じく下流側に配設する用の曝気装置３２とは、それぞれレシーバタンク３３と、このレシーバタンク３３に圧縮空気を供給するコンプレッサ３４と、レシーバタンク３３に基端が接続された可撓性のホース３５と、このホース３５の先端に接続され、かつ上面または外周面に多数の小孔３６が設けられて、感潮河川１の川床２に載置された散気体３７とを備えている。
【００５３】
散気体３７は、図示の例では模式的に示してあるが、ホース３５に接続した基管(図示略)の両側方に多数の枝管(図示略)を接続し、その枝管の上面を含む外周面に多数の小孔３６を設けた散気管方式のもの、中空板状体の上面に多数の小孔３６を設けた散気板方式のもの、または多数の小孔３６を設けた部分を可撓性のシートにより形成した散気シート方式のもののいずれかまたはその組み合わせとするのが好ましい。
【００５４】
感潮河川１の上流側に配設した曝気装置３１におけるコンプレッサ３４と、同じく下流側に配設した曝気装置３２におけるコンプレッサ３４とは、切換装置３８に電気的に接続され、この切換装置３８により、満潮時から干潮時にかけては、上流側の曝気装置３１におけるコンプレッサ３４が作動させられ、下流側の曝気装置３２におけるコンプレッサ３４は不作動となり、干潮時から満潮時にかけては、上流側の曝気装置３１におけるコンプレッサ３４は不作動となり、下流側の曝気装置３２におけるコンプレッサ３４が作動させられるように、手動操作か、また上述の制御装置２２と同様の潮見表や潮位センサ２１の情報に基づく自動制御により切り換えられる。
【００５５】
したがって、この第３の実施形態によると、満潮時から干潮時にかけては、設定範囲Ａの最も上流側に配設した曝気装置３１により感潮河川１が曝気され、そのときの気泡と、曝気により酸素が溶解されて浄化された河川水とが下流側に流れ、感潮河川１の設定範囲Ａが浄化され、干潮時から満潮時にかけては、設定範囲Ａの最も下流側に配設した曝気装置３２により感潮河川１が曝気され、そのときの気泡と、曝気により酸素が溶解されて浄化された河川水とが上流側に流れ、感潮河川１の設定範囲Ａが浄化され、１日２４時間連続して、設定範囲Ａを効率よく浄化することができる。
【００５６】
図４は、本発明の感潮河川の水質改善装置の第４の実施形態と、それを用いた本発明の感潮河川の水質浄化方法の第４の実施要領とを示す。
第４の実施形態においては、第３の実施形態の曝気装置３１と曝気装置３２とにおけるレシーバタンク３３とコンプレッサ３４との共通化を図っている。
すなわち、１台のコンプレッサ３４により圧縮空気を供給されるようにしたレシーバタンク３３に一端を接続した出口管３９の他端に第１の実施形態における切換手段２０と同様の切換装置４０を接続し、この切換装置４０により、レシーバタンク３３内の圧縮空気を、上流側の曝気装置３１におけるホース３５と下流側の曝気装置３２におけるホース３５とに選択的に供給するようにしてある。
【００５７】
その切換装置４０の切り換えの態様は、第１の実施形態における制御装置２２と同様の制御装置４１により、満潮時から干潮時にかけては、レシーバタンク３３内の圧縮空気を、上流側の曝気装置３１におけるホース３５に、また干潮時から満潮時にかけては、レシーバタンク３３内の圧縮空気を、下流側の曝気装置３２におけるホース３５に供給するように制御される。
【００５８】
したがって、第４の実施形態においては、第３の実施形態におけるのと同様の作用および効果を奏することができるだけでなく、第３の実施形態におけるものより部品点数を削減し、構造の簡素化を図ることができる。
【００５９】
なお、第３および第４の実施形態において、設定範囲Ａの上流端と下流端との中間に、１個または複数個の曝気装置を配設し、この中間部の曝気装置を常時作動させておくことにより、第２の実施形態におけるのと同様に、感潮河川１に長い設定範囲Ａを設定することができ、感潮河川１の長い範囲にわたって、一度に浄化することができる。
【００６０】
本発明は、上記実施形態のみに限定されるものではなく、特許請求の範囲を逸脱することなく、幾多の変形した態様での実施が可能である。
例えば、水質浄化装置１２は、ろ過手段を備えるもの、微生物による浄化手段を備えるもの、浄化用の薬剤を注入するもの、またはそれらを組み合わせたもの等とすることができる。
【００６１】
また、制御装置２２は、水質浄化装置１２における気体溶解装置１５、汲み上げポンプ１６、コンプレッサ１７、酸素発生装置１８等を制御および監視する装置全体の主制御装置(図示略)内に組み込み、この主制御装置により、切換手段２０を、上記の他の装置とともに制御および監視し、それらの各装置に何らかの異常が発生した場合は、それを迅速に報知しうるようにするのがよい。
【符号の説明】
【００６２】
１  感潮河川
２  河床
３  ヘドロ層
４  海水層
５  淡水層
１０  感潮河川の水質改善装置
１１  取水手段
１１ａ取水ホース
１１ｂ吸込口
１２  水質浄化装置
１３、１４  還水手段
１３ａ、１４ａ  還水ホース
１３ｂ、１４ｂ  吐出口
１５  気体溶解装置
１６  汲み上げポンプ
１７  コンプレッサ
１８  酸素発生装置
１９  出口管
２０  切換手段
２１  潮位センサ
２２  制御装置
２３  還水手段
２３ａ還水ホース
２３ｂ吐出口
３１、３２  曝気装置(曝気手段)
３３  レシーバタンク
３４  コンプレッサ
３５  ホース
３６  小孔
３７  散気体
３８  切換装置
３９  出口管
４０  切換装置
４１  制御装置
Ａ、Ａ'  設定範囲
Ａ１  第１区間
Ａ２  第２区間
Ｐ  中間点
【図１】
0005466615.tif 000002
【図２】
0005466615.tif 000003
【図３】
0005466615.tif 000004
【図４】
0005466615.tif 000005